(57)【特許請求の範囲】
【請求項１】
用紙を画像形成部に導く用紙搬送ローラを回転駆動するための搬送ローラ駆動機構において、
搬送ローラ駆動機構の一部を構成する回転駆動体を、第１分割体、第２分割体に分割し、
第１分割体、第２分割体の互いに向き合う面に、互いに係合する爪部をそれぞれ設け、
第１分割体、第２分割体のいずれか又は双方を、第１分割体、第２分割体を接合させる方向に弾力的に付勢する付勢部材を設け、
前記爪部の係合面は、回転軸の方向から一定の角度傾けて形成され、
回転駆動体に過大な力がかかったときには、前記付勢部材の付勢力を押し退けて爪部の係合が外れるようにしたことを特徴とする搬送ローラ駆動機構。
【請求項２】
第１分割体、第２分割体が、プーリとギヤであることを特徴とする請求項１記載の搬送ローラ駆動機構。
【請求項３】
第１分割体、第２分割体が、ギヤとギヤであることを特徴とする請求項１記載の搬送ローラ駆動機構。
【請求項４】
用紙搬送ローラは、画像形成部の直ぐ上流に存在する転写前ローラであることを特徴とする請求項１記載の搬送ローラ駆動機構。
【請求項５】
前記爪部の係合面は、回転軸の方向から１０°〜４５°傾けて形成されていることを特徴とする請求項１記載の搬送ローラ駆動機構。
【発明の詳細な説明】
【０００１】
【発明の属する技術分野】
本発明は、複写機、ファクシミリ、プリンタなどの画像形成装置において、画像形成前の用紙を画像形成部に導く用紙搬送ローラを回転駆動するための搬送ローラ駆動機構に関するものである。
【０００２】
【従来の技術】
Ａ０サイズ、Ａ１サイズなど広幅長尺の用紙を扱う画像形成装置では、巻芯の回りにロール状に巻回した用紙を画像形成装置のハウジング内に収容し、このロールから用紙を引き出して、第１搬送部を経由して、画像形成部に給紙している。
第１搬送部には、通常、複数の搬送ローラが設置され、これらのローラが搬送モータに回転駆動されることにより、用紙を画像形成部に給紙する。
【０００３】
ロール用紙の最終橋部は、巻芯に貼り付けられており、用紙がなくなると、検知機構が働き、搬送モータを停止する。
【０００４】
【発明が解決しようとする課題】
ところが、検知機構が働いてから、搬送モータが停止するまで、タイムラグ（１〜１０秒程度）があり、この間、搬送ローラが回転を続けている。
このため、用紙がスリップし、搬送ローラが摩耗する、搬送ローラに紙粉が付着する等の障害が発生する。
特に、画像形成部に給紙する直前の位置に置かれている搬送ローラは、「転写前ローラ」といわれ、ローラ表面の摩擦係数を大きくしている。このため、巻芯とローラ間で引っ張り合いが生じても、用紙がスリップしないので、ローラ駆動部に力が直接かかり、ローラ駆動ギアが破損することがある。
【０００５】
そこで、本発明は、ローラ駆動部に過大な力がかかったときには、その力を逃がすことにより破損を防止することのできる搬送ローラ駆動機構を実現することを目的とする。
【０００６】
【課題を解決するための手段及び発明の効果】
本発明の搬送ローラ駆動機構は、搬送ローラ駆動機構の一部を構成する回転駆動体を、第１分割体、第２分割体に分割し、第１分割体、第２分割体の互いに向き合う面に、互いに係合する爪部をそれぞれ設け、第１分割体、第２分割体のいずれか又は双方を、第１分割体、第２分割体を接合させる方向に弾力的に付勢する付勢部材を設け、前記爪部の係合面は、回転軸の方向から一定の角度傾けて形成され、回転駆動体に過大な力がかかったときには、前記付勢部材の付勢力を押し退けて爪部の係合が外れるようにしたものである。
【０００７】
前記の構成によれば、爪部の係合面を、回転軸の方向から一定の角度傾けて、テーパ状に形成することにより、回転駆動体に過大な力がかかったときに、付勢部材の付勢力を押し退けて爪部の係合を外すことができる。
したがって、回転駆動体の破損を防止することができる。
第１分割体、第２分割体は、プーリとギヤの組合せであってもよく、ギヤとギヤの組合せであってもよい。また、プーリとプーリとの組合せであってもよい。いずれを採用するかは、搬送ローラ駆動機構の回転力伝達部材の種類（ギヤ、ベルト、チェーンなど）、に応じて決まるものである。
【０００８】
【発明の実施の形態】
以下、本発明の実施の形態を、添付図面を参照しながら詳細に説明する。
図１は、複写機の全体を示す正面断面図である。
複写機１は、ロール紙またはカット紙を収容するための用紙収容部２、用紙を画像形成部５へと給紙するための搬送機構３、原稿を読み取るための光学系、光学系から与えられる光に基づいて画像を形成しその画像を用紙に転写するための画像形成部５、および用紙に転写された画像を定着するための定着装置６、原稿テーブル１１などを備えている。
【０００９】
原稿テーブル１１は、可動式となっていて、矢印Ａ方向に動かせば、原稿搬送板１２に接続されるようになっている。
搬送機構３は、複写する用紙の先端を揃えるためのレジストローラ対２３ａ，２３ｂ、用紙を画像形成部５に導くための転写前ローラ対２４ａ，２４ｂなどを有している。
画像形成部５には、感光体ドラム７、感光体ドラム７を帯電させるためのチャージャ８、静電潜像を形成するための露光部４、感光体ドラム７に形成された静電潜像をトナー像に現像するための現像装置９、および残留トナーを清掃するためのクリーナ１０が含まれている。
【００１０】
定着装置６は、用紙を加熱するための定着ローラ６４、定着ローラ６４に圧接する圧ローラ６５、定着ローラ６４にオイルを供給するオイル塗布ローラ６６、定着後の用紙を排出する排出ローラ６７などを有している。
図２は、転写前ローラ対２４ａ，２４ｂを駆動するギヤの構成を示す要部図である。
駆動モータ（図示せず）の出力軸に連結されるモータ出力プーリ２５と、分割プーリ２７とが、タイミングベルト３０を通して連結されている。２６はテンションプーリである。
【００１１】
分割プーリ２７は、後述するように、分割ギヤ部２８と一体回転可能に嵌合している。分割ギヤ部２８のギヤは、駆動ギヤ２９を通して転写前ローラ対２４ｂのギヤに連結される。
この構造により、駆動モータの回転が、転写前ローラ対２４ａ，２４ｂに伝えられる。
図３は、分割プーリ２７を裏から見た斜視図である。分割プーリ２７の裏面３１には、爪部３２が裏面３１と一体に設けられている。この爪部３２は、後述する分割ギヤ２８の爪部と係合することにより、分割プーリ２７の回転力を分割ギヤ２８に伝えるものである。また、分割プーリ２７の中心部には、後述するピン３９を通す孔３７が空いている。この孔３７は、裏面３１の近くでは、一段と開口径の広い孔３７ａにつながっている。
【００１２】
分割プーリ２７の全体は一体成形されたポリイミドなどの樹脂でできている。図４は、爪部３２を含む分割プーリ２７のＡ−Ａ断面図である。爪部３２の、分割ギヤ２８の爪部と係合する面３２ａが、法線に対して一定角度θだけ傾いている。この実施形態では、θ＝１０°としたが、これに限られるものではない。θは、１０°〜４５°の範囲内にあることが好ましい。４５°以上だと、分割プーリ２７と分割ギヤ２８に通常の回転力がかかるだけで、係合が外れるおそれがある。１０°よりも小さいと、分割プーリ２７と分割ギヤ２８に過大な回転力がかかっても、係合が外れないことがある。
【００１３】
図５は、分割ギヤ２８の端面を見た斜視図である。分割ギヤ２８の端面には、一定の深さ落ち込んだ面３３が設けられ、当該面３３には、分割プーリ２７の爪部３２と係合する爪部３５が一体に設けられている。また、分割ギヤ２８の中心部には、前記広孔３７ａに挿入されるボス部３４が形成されていて、このボス部３４には、ピン３９を通す孔３８が空いている。分割ギヤ２８の全体も、一体成形されたポリイミドなどの樹脂でできている。
【００１４】
図６は、爪部３５を含む分割ギヤ２８のＢ−Ｂ断面図である。爪部３５の、分割プーリ２７の爪部３２と係合する面３５ａが、法線に対して一定角度θだけ傾いている。
図７は、分割ギヤ２８と、分割プーリ２７とを対面させ、爪部３２，３５同士を係合させた状態を示す、Ａ−Ａ線、Ｂ−Ｂ線に沿った断面図である。
図８は、分割ギヤ２８と、分割プーリ２７とを組み立てる方法を示す、中心軸に沿った分解断面図である。
【００１５】
４０は、分割プーリ２７及び分割ギヤ２８を支持するための複写機１の本体フレームを示す。この本体フレーム４０に、コイルバネ４２を載せ、ワッシャ４３を介して、分割ギヤ２８を差し込む。
さらにこの上から、分割プーリ２７を、爪部同士が係合するように載せて、ピン３９を通し、その先端を、本体フレーム４０の孔に差し込んで、ナット３９ａで固定する。
【００１６】
この状態で、タイミングベルト３０を通して分割プーリ２７及び分割ギヤ２８を回転させ、駆動ギヤ２９を通して転写前ローラ対２４ｂを回転駆動することができる。
ロール用紙がなくなるなど、用紙にテンションがかかると、転写前ローラ対２４ｂに過大な力が掛かるが、この場合、分割プーリ２７の爪部３２の係合面３２ａと、分割ギヤ２８の爪部３５の係合面３５ａが、角度θだけ傾いているので、コイルバネ４２を押し込む力が発生し、爪部どうしの係合を外すことができる。
【００１７】
以上で、本発明の実施の形態を説明したが、本発明の実施は、前記の形態に限定されるものではない。例えば、本発明は、搬送ローラ駆動機構の一部を構成する回転駆動体を、互いに嵌合するギヤとギヤに分割し、これらの分割ギヤの互いに向き合う面に、互いに係合する爪部をそれぞれ設けても実施できる。その他、本発明の範囲内で種々の変更を施すことが可能である。
【図面の簡単な説明】
【図１】複写機の全体を示す正面断面図である。
【図２】転写前ローラ対２４ａ，２４ｂを駆動するギヤの構成を示す要部図である。
【図３】分割プーリ２７を裏から見た斜視図である。
【図４】爪部３２を含む分割プーリ２７のＡ−Ａ断面図である。
【図５】分割ギヤ２８の端面を見た斜視図である。
【図６】爪部３５を含む分割ギヤ２８のＢ−Ｂ断面図である。
【図７】分割ギヤ２８と、分割プーリ２７とを対面させ、爪部３２，３５同士を係合させた状態を示す、Ａ−Ａ線、Ｂ−Ｂ線に沿った断面図である。
【図８】分割ギヤ２８と、分割プーリ２７とを組み立てる方法を示す、中心軸に沿った分解断面図である。
【符号の説明】
１  複写機
２  用紙収容部
３  搬送機構
４  露光部
５  画像形成部
６  定着装置
７  感光体ドラム
８  チャージャ
９  現像装置
１０  クリーナ
１１  原稿テーブル
２４ａ，２４ｂ  転写前ローラ対
２５  モータ出力プーリ
２７  分割プーリ
２８  分割ギヤ
３２  爪部
３２ａ  係合する面
３５  爪部
３５ａ  係合面
３９  ピン
４０  本体フレーム
４２  コイルバネ
４３  ワッシャ
【図１】
0003652227.tif 000002
【図２】
0003652227.tif 000003
【図３】
0003652227.tif 000004
【図４】
0003652227.tif 000005
【図５】
0003652227.tif 000006
【図６】
0003652227.tif 000007
【図７】
0003652227.tif 000008
【図８】
0003652227.tif 000009